(57)【要約】【課題】  パンツ型及び展開型の両方の使用形態において液モレ防止性能に優れ、かつ、履き心地に優れたパンツ型及び展開型両用の使い捨ておむつを提供する。【解決手段】  着用者の胴回りに沿わされる環状外装帯と、該外装帯の腹側部肌面側及び背側部肌面側に接合され股下に沿わされるよう垂設された、吸収性コアを具備する下帯部材とを有する使い捨ておむつであって、  前記環状外装帯の腹側部には外装帯の上縁から下縁にまで延びる一対の破断誘導線があり、該環状外装帯は前記破断誘導線に沿って切断して前記下帯部材から切離し観音開きに開放可能であり、さらに前記破断誘導線の近傍で切り離される外装帯部分にその切断により引き出し可能なファスニングテープが収納されており、前記下帯部材は前記吸収性コアの非肌面側に該下帯部材の長手方向に延びる臀部第１弾性部材を有するパンツ型及び展開型両用の使い捨ておむつ。【選択図】図１
2010131197.tif 000002
【特許請求の範囲】
【請求項１】
着用者の胴回りに沿わされる環状外装帯と、該外装帯の腹側部肌面側及び背側部肌面側に接合され股下に沿わされるよう垂設された、吸収性コアを具備する下帯部材とを有する使い捨ておむつであって、
前記環状外装帯の腹側部には外装帯の上縁から下縁にまで延びる一対の破断誘導線があり、該環状外装帯は前記破断誘導線に沿って切断して前記下帯部材から切離し観音開きに開放可能であり、さらに前記破断誘導線の近傍で切り離される外装帯部分にその切断により引き出し可能なファスニングテープが収納されており、前記下帯部材は前記吸収性コアの非肌面側に該下帯部材の長手方向に延びる臀部第１弾性部材を有するパンツ型及び展開型両用の使い捨ておむつ。
【請求項２】
前記破断誘導線は着用者の臍に対応する部位を挟んでその両側に背丈方向に延びて平行に設けられており、展開状態でみて前記臀部第１弾性部材がその平行に設けられた一対の破断誘導線及びその延長平行線間に挟まれる位置にある請求項１記載の使い捨ておむつ。
【請求項３】
前記臀部第１弾性部材は、着用者の臀裂に沿うように線状に延在する請求項１または２記載の使い捨ておむつ。
【請求項４】
前記臀部第１弾性部材が全体において着用者の正中面位置で離間して一対の平行線状になっていて、着用者の股間部に沿うように線状に延在する請求項１、または２に記載の使い捨ておむつ。
【請求項５】
前記下帯部材は前記吸収性コアより非肌面側に配置された裏面シートを備えており、前記臀部第１弾性部材が前記吸収性コアと該裏面シートとの間に介在された請求項１〜４いずれか１項に記載の使い捨ておむつ。
【請求項６】
前記環状外装帯の背側部位には、着用者の胴回りから股下にかけて延在する逆「八」の字状外形の臀部包被部があり、該臀部包被部の逆「八」の字状側縁部に、着用者の股下部付近において該下帯部材の幅方向に伸縮性を有する一対の臀部第２弾性部材を有する、請求項１〜５のいずれか１項に記載の使い捨ておむつ。
【発明の詳細な説明】
【技術分野】
【０００１】
本発明は、使い捨ておむつに関し、詳しくはパンツ型及び展開型両用の使い捨ておむつに関する。
【背景技術】
【０００２】
従来、使い捨ておむつとして、長手方向一端部の両側部に一対のファスニングテープを有し、該ファスニングテープを長手方向他端部の外面に設けたランディングゾーンに止着して用いる使い捨ておむつ（以下、展開型おむつという）と、ウエスト開口部と一対のレッグ開口部とが予め形成されている使い捨ておむつ（以下、パンツ型おむつという）が広く知られている。
【０００３】
展開型おむつは、寝た状態で着脱することができ、また、テープの止着位置をずらしてフィット性の調整が可能で、製造コストが安い等の利点がある。他方、パンツ型おむつは、下着であるパンツやショーツと同様に着脱でき、例えば、月齢が上がってきた乳幼児を四つん這いにして又は立たせて装着させることができ便利であるという利点がある。
【０００４】
これに対し、展開型おむつと同様にもパンツおむつと同様にも使用でき、しかも腹側に配される部分の意図しない開放が生じにくく、更にサイズ調整の自由度が高い、成人用の使い捨ておむつが開発されている（特許文献１参照）。この使い捨ておむつは、一対のミシン目などの破断誘導線に挟まれた中央部分と破断誘導線を介して中央部分に連設された外方部を有し、外方部にファスニングテープが設けられている。このおむつは、破断誘導線の分離前は、通常のパンツおむつと同様な形状をしており、破断誘導線をやぶくと展開型おむつと同様に取り外すことができる。そして、テープで再接合することで、パンツ形状とすることができる。そのため、普通のパンツタイプのようにはけて上げ下げでき、ズボンを脱がなくても取り替えられ、さらに、ミシン目をやぶけば横になったままでも簡単に交換ができるものである。
【０００５】
【特許文献１】特開２００６−２０４６８８号公報
【発明の開示】
【発明が解決しようとする課題】
【０００６】
本発明者の確認によれば、上記のように新開発のパンツ型及び展開型の両用おむつは、双利用性の高いものであるが、その活用の形態のために、股下あたりのフィット性ないし装着感と漏れ防止性とを両立するのが困難であることがわかってきた。特に、この使い捨ておむつは、その腹側部位を分離していないパンツ型の状態ではかせることも、分離開放した後にテープで止めて着用させることもできるため、着用者の肌に対するおむつ密着状態が異なることがあり、その両方の使用場面において、肌とおむつの隙間からの横モレなどに対する信頼性の高い漏れ防止性と良好なフィット性とを両立することは容易ではない。
【０００７】
本発明は、上記のパンツ型及び展開型の両用使い捨ておむつに特有の課題に鑑み、その両方の使用形態において液モレ防止性能に優れ、かつ、履き心地に優れたパンツ型及び展開型両用の使い捨ておむつを提供することを目的とするものである。
【課題を解決するための手段】
【０００８】
本発明は、着用者の胴回りに沿わされる環状外装帯と、該外装帯の腹側部肌面側及び背側部肌面側に接合され股下に沿わされるよう垂設された、吸収性コアを具備する下帯部材とを有する使い捨ておむつであって、前記環状外装帯の腹側部には外装帯の上縁から下縁にまで延びる一対の破断誘導線があり、該環状外装帯は前記破断誘導線に沿って切断して前記下帯部材から切離し観音開きに開放可能であり、さらに前記破断誘導線の近傍で切り離される外装帯部分にその切断により引き出し可能なファスニングテープが収納されており、前記下帯部材は前記吸収性コアの非肌面側に該下帯部材の長手方向に延びる臀部第１弾性部材を有するパンツ型及び展開型両用の使い捨ておむつを提供することにより、上記目的を達成したものである。
【発明の効果】
【０００９】
本発明のパンツ型及び展開型両用のおむつは、通常、使用初期にはパンツ型おむつとして使用し、必要により、展開型おむつに切り替えて使用することができ、この新開発両用おむつに特有の課題を解決して、おむつと着用者の股間部との隙間を程良く少なくして、股間部等からの液モレ防止性能と良好な履き心地とを両立することができる。
【発明を実施するための最良の形態】
【００１０】
以下、本発明をその好ましい実施形態に基づき図面を参照しながら説明する。
図１は、本発明の好ましい一つの実施形態としての成人用のパンツ型・展開型の両用使い捨ておむつ１０の初期形状での着用時の形状を示す、着用者腹側から見た斜視図である。おむつ１０は、下帯部材２と環状外装帯３を備えている。環状外装帯３は、およそ半周ずつをなす腹側部位３１及び背側部位３２からなり、該両部位は着用者の左右両側部のそれぞれにおいて接合され、一対のサイドシール部３３を形成している。このサイドシール部３３におけるシートの接合方法は特に限定されるものではなく、ヒートシール、超音波シール等の任意の手段により接合することができる。そして、環状外装帯３は着用者の背丈方向上側において、環状のウエスト開口部Ｗｏをなし、ここに着用者の胴回りを通して着用される。下帯部材２は、環状外装帯３の腹側部位３１の内面（肌当接面側の面）及び背側部位３２の内面に、両端部がそれぞれ接合され、着用者の股下に沿わされるよう垂設される。これにより、レッグ開口部Ｌｏが形成され、全体としてパンツ型の形状をしている。
【００１１】
腹側部位３１及び背側部位３２と下帯部材２との固定方法は、特に限定されるものではなく、下帯部材２と腹側部位３１または背側部位３２と重なっている部分の所定の領域で、接着剤等により固定したり、下帯部材２の周縁部のみにおいて、両者を接合したり、下帯部材２の幅方向の中央部のみ又は両端部のみで両者を接合することもできる。また、接着剤に代えて、ヒートシール、超音波シール等を用いることもできる。
【００１２】
図２は、図１に示したおむつ１０を破断誘導線３４で破断して展開した状態を肌当接面側から見た状態を示す展開平面図であり、下帯部材２の一部は、重ねられた部材を少しずつ破断した状態で表示してある。下帯部材２は、液透過性の表面シート２２、液不透過性の裏面シート２３、及びこれら両シート２２，２３間に介在された吸収性コア２４を具備してなる。下帯部材２は、平面視形状が長方形状であり、図１においては、おむつの長さ方向（Ｙ方向）に長い形状を有している。吸収性コア２４は、長方形状の裏面シート２３及び長方形状の表面シート２２により挟持・固定されている。吸収性コア２４は、展開状態の平面視において図示したもののような、砂時計形状、すなわち長手方向（Ｙ方向）の両側の幅の広い部分に対して、その中間に介在する括れた部分が穏やかに内方に張り出す逆円弧状となっている。吸収性コア２４のおむつ幅方向（Ｘ方向）の中心である正中面切断線（着用時に着用者の臀裂に沿って延びる直線を示したものに相当する）Ｐ１は吸収性コア２４の上記の括れた部分において、着用者の尿排泄対応領域Ｑ１、Ｑ２（男性の場合は領域Ｑ１、女性の場合は領域Ｑ２）から排便対応領域Ｑ３に沿うようにされる。このようにして、着用時には、吸収性コア２４は着用者のおよそ下腹部から臀部にかけて股間を介して沿わされる。
【００１３】
破断して展開された環状外装帯３の開放主部（腹側部位３１の前身頃開放可能部３１ａと後身頃となる背後部位３２）は全体においてＴ字状であり、胴周り方向（Ｘ方向）を長手方向とした形状をなしている。図中矢印Ｂ１は前身頃開放可能部の占める領域を示し、矢印Ｂ２は後身頃の占める領域を表す。ただし、Ｔ字としたときの横棒（Ｘ方向）と縦棒（Ｙ方向）との交わる部分の輪郭は、両側の外形において穏やかな逆円弧状、すなわち外装帯３の内方に入り込むような円弧をなすようにされている。そして、外装帯３の開放主部の長手方向、すなわち、おむつ幅方向（Ｘ方向）の中央部付近が、下帯部材２の一端部（背側後方部Ｒ側の端部）の外面（非肌当接面側の面）を覆っており、この覆う部分で環状外装帯３と下帯部材２とが着接されている。下帯部材２の他端部（腹側前方部Ｆ側の端部）の外面は、腹側部位３１（前身頃開放可能部３１ａ、前身頃非開放部３１ｂによって覆われるが、この下帯部材２の他端部の外面を覆う部分の一部（前身頃非開放部３１ｂ）において下帯部材２の外面に固定されている。図中、矢印Ｂ３は前身頃非開放部３１ｂの占める領域を表す。このようにして、環状外装帯３と下帯部材２とを着接して組み立てたおむつ１０は、上記破断展開状態においてもＴ字形状であり、前記の環状外装帯３がなすＴ字形状の縦棒（Ｙ方向）が下帯部材２によってさらに延びたようにされている。このようにして、本実施形態のおむつ１０は全体において、背側後方部Ｒと腹側前方部Ｆとこの両部に介在された股下中間部Ｃとに区画され、着用状態では上記前方部Ｆと後方部Ｒとが連結され胴回り部Ｄを構成する（図１、図２参照）。なお、図２に示す符号で、特に言及しないものは、図１に示すもので同じ意味である（以下に説明する図面においても、それ以前の図面で説明した符号については、説明を省略することがある。）。
【００１４】
環状外装帯３の腹側部位３１は、おむつ長さ方向（Ｙ方向）に一対の破断可能な破断誘導線３４を有し、これに挟まれた前身頃非開放部（中央部分）３１ｂと前身頃開放部（外側方部分）３１ａとに区別される。本実施形態においては、この破断誘導線３４が線状に形成されたミシン目で構成されており（図１参照）、それぞれ腹側部位３１の上下端間に亘って延びている。破断誘導線３４は、着用者の臍に対応する部位を挟んでその両側に股下方向に延び平行に設けられている。ここで平行とは実質的に平行であればよく、それぞれの線が多少蛇行していても、やや平行状態にずれがあってもよい。そして、このミシン目により形成された破断誘導線３４に沿って着用者ないし介助者等の手で前身頃非開放部３１ｂ（破断線３４ｂ）と前身頃開放部３１ａ（破断線３４ａ）とに分離するように破断し、前身頃開放部縁部３１ａを開くことで破断線３４ｂとを切り離し展開型のおむつ形状とすることができる。
【００１５】
股下部の下帯部材２には、長さ方向（Ｙ方向）に伸縮性を有する臀部第１弾性部材２１が配置され、吸収体ギャザーを形成している。本実施形態では、長さ方向に沿った４本の弾性部材が幅方向（Ｘ方向）にほぼ並列されて設置されており、着用時に、伸長状態で設置された臀部第１弾性部材２１が収縮することにより、おむつの股下部が着用者の臀裂に合わせるように引き上げられ、おむつ１０と着用者の股間とが密着することになる。
【００１６】
本実施形態では、臀部第１弾性部材２１は、一対の破断誘導線３４（図２では破断線３４ｂ）の延長線長さ方向に延長した２本の線よりも、幅方向内側の正中面切断線Ｐ１側に配されている。このような位置にあることで、着用者股間部において、おむつの密着性を向上させ、排泄物の漏れ防止性能を向上させることができる。なお、破断誘導線が曲線状のものである場合には、上記破断誘導線の延長線とは、破断誘導線の始点と終点を結んだ直線の延長線を意味する。
【００１７】
本実施形態においては、環状外装帯３の背側部位３２は、全体において台形の下底に長方形が組み合わされた火山の断面のような形状を逆さにした形状を有しており、この逆さ台の逆「八」の字状の部分がおもに着用者の臀部を覆い包囲するように着用される。そして、この背側部位３２における上記逆さ台形の臀部対応部の両側方には、着用者股下部付近においては幅方向に伸縮性を有するよう、かつ着用者の背後から見て背丈方向に上開き、つまり逆「八」の字状になるように配設された左右一対の臀部第２弾性部材４１ａ、４１ｂを有している。この左右一対の臀部第２弾性部材４１ａ、４１ｂからなる臀部第２弾性部材４１が着用時に着用者の臀部のでっぱりに合わせて適度な張力（伸縮応力）を発揮して、ヒップギャザーをなし、とりわけ弾性部材４１の臀溝部分から背丈方向の上方にかけておしりの左右のやや下方で張り出したふくらみを両側からつつみ、軽く引き上げるようにして良好にフィットする。
【００１８】
本実施形態において、環状外装帯３は、不織布などの２枚のシートから形成され（図では１枚のものとして示している。）、２枚のシート間に、胴回り方向に沿ってそれぞれウエスト弾性部材４２および胴回り弾性部材４３を伸長状態で固定している。これらの弾性部材４２、４３が着用状態で適度に胴回り方向に伸縮してウエストギャザー及び胴回りギャザーを形成しながら、着用者の胴回りにフィットして、おむつ１０を着用者に密着させる。
【００１９】
下帯部材２のおむつ幅方向（Ｘ方向）の両側縁部は着用時にレッグ開口部Ｌｏをなす長手方向（Ｙ方向）に沿って伸びるレッグギャザー用弾性部材４４が配されている。このレッグギャザー用弾性部材の張力（伸縮応力）により、着用者には足回りに良好なレッグギャザーを形成しながら、適度に締め付けて包み込むようにして、着用者の大腿部ないし足の付根のあたりにフィットする。
【００２０】
図３は、図２におけるＡ−Ａ線模式断面図である。なお、この断面図は、伸展状態ではなく、自然状態のおむつにおいてレッグギャザーＧが起立した状態の断面を模式的に示している。本実施形態では、図３に示されるように、下帯部材２は裏面シート２３を備えており、吸収性コア２４と裏面シート２３の間に臀部第１弾性部材２１を伸長可能に配されている。このため、臀部第１弾性部材２１により形成される吸収体ギャザーと、環状外装帯３により設けられた臀部第２弾性部材４１により形成されるヒップギャザーとは、おむつ１０において、実質的に同一平面上に形成されることになり、両者の張力の相互作用により極めて良好なフィット感が得られる。そして、吸収体ギャザーとヒップギャザーはともに、弾性部材４４により形成されるレッグギャザーとは異なる平面に形成されているため、レッグギャザーは脚回りに対するフィット性を実現する一方で、臀部第１弾性部材２１と臀部第２弾性部材４１の良好な伸縮性を阻害しづらくなされている。また、本発明においては、防漏カフを形成するように立体ギャザーを設けてもよいが、この場合も、吸収体ギャザー及びヒップギャザーと、立体ギャザーとは異なる平面上に形成されるため、お互いの機能を阻害しづらくなっている。
なお、臀部第１弾性部材２１の配置位置は、吸収性コア２４と裏面シート２３の間に限定されるものではなく、例えば、裏面シート２３の外側に弾性部材保持用シートを設けて、裏面シート２３と弾性部材保持用シートの間に臀部第１弾性部材２１を設けても良い。
【００２１】
図４は、図１のおむつの着用者左側のミシン目の破断誘導線３４を破断した状態を示す斜視図である。本実施形態のおむつ１０においては、環状外装帯３の破断誘導線近傍で、腹側部位３１の前身頃開放可能部３１ａの内側（肌面側）に固定されたファスニングテープ５が設けられている。このファスニングテープ５は、基材シート５ａのさらに肌面側に面状ファスナー５ｂが取り付けられており、破断誘導線３４の破断により分離開放した開放可能部３１ａから上記面状ファスナー５ｂのある耳Ｍの部分を引き出すことができる。ファスニングテープ５の基材シート５ａは、例えば、不織布や不織布と樹脂フィルムの積層体等から構成することができる。面状ファスナー（オス部材）は、鉤状ないしキノコ状の微小突起を係着面５ｉに密集して設けた構造のものが挙げられる。具体的には、メス部材に対して着脱自在に止着可能である通常の機械的面ファスナーを用いることができる。面状ファスナー５ｂを係着させる相手側部材は、通常の不織布でよく、例えばループ状ないし捲縮した繊維面を有する布材等を用いることができる。したがって、おむつの不織布を用いた任意の面に通常係着可能であり、また特に係着に適した素材を別途適用してランディング部としてもよい。本実施形態においては、腹側部位３１の前身頃非開放部３１ｂの非肌面が係着性が良好のランディング部となる。なお、図１に示すような破断誘導線３４の破断前のファスニングテープ５は、その係着面５ｉが基材シート５ａの内面側表面に接着固定された機械的面ファスナーのメス部材に仮着されて、折りたたまれた状態で収納されている。
【００２２】
本実施形態においてはミシン目などの破断誘導線３４は、下帯部材２の幅方向両側部に、外方部となる前身頃開放可能部３１ａと重なる部分２ｃを形成する観点から、下帯部材２の幅方向両側縁２ｓの位置より内側に形成されている。このように下帯部材２に前身頃開放可能部３１ａと重なる部分２ｃを形成することで、ファスニングテープ５の耳Ｍを下帯部材２と重ねて配置でき、それにより、ファスニングテープ５が着用者に接触して不快感や違和感を与えることを防止できる。また、破断誘導線３４の下に剛性が比較的高い下帯部材２が存在することによって、破断誘導線３４の破断操作を容易に行うことができる。
【００２３】
本実施形態においては、破断誘導線３４が、おむつ１０を着用者の臍に対応する部位を挟んでその両側に股下方向に延び、略平行に設けられている。このとき、略平行に設けられている破断誘導線３４は、着用時の形状としては着用者の体形に応じて腹側部位３１の上方から下方に向かうにつれて、着用者の正中面に対応する切断線（おむつ縦方向中央線）に近づくように若干傾斜させて形成された、つまり若干逆「八」の字状になることもある。本発明におけるミシン目３４は、傾斜させるか否かを問わずに、直線状のものであっても、円弧状やサインカーブ状等の曲線状のものであってもよい。
【００２４】
破断誘導線３４をなすミシン目は、おむつ製造中及びおむつ装着中に破れない強度を維持しながら、使用場面において比較的容易に破断することが好ましい。このため、腹側部位３１のミシン目の上方端部及び下方端部は、腹側部位３１の上下の端縁からわずかに距離ｄを介して離れていることが好ましい。図５は、腹側部位３１の上端縁を含む位置のミシン目からなる破断誘導線３４の拡大平面図である。腹側部位３１の上下の端縁それぞれから、各端縁に最も近い切れ目までの距離ｄが１．５ｍｍ以上であることが好ましい。他方、ミシン目の切れ目の長さＬａとし、ミシン目の切れ目間の長さＬｂとすると、その比率〔Ｌａ／Ｌｂ〕は、適当な破断強度を確保する観点から、２〜８の範囲内であることが好ましく、３〜７の範囲内であることがより好ましい。数値的に言えばＬａは２〜１０ｍｍ、Ｌｂは１〜５ｍｍの範囲内であることが好ましい。また、必要に応じて、破断誘導線の破断開始部に起点となる凹欠部や掴み代を設けることもできる。なお、図１および４においては、ミシン目の大きさ及び縁部の距離ｄを図面上の視認性を考慮し、やや誇張して示している。
【００２５】
本実施形態では、図２の展開平面図に示されるように、４本の全ての臀部第１弾性部材２１が、着用時に正中面切断線Ｐ１で示される着用者の臀裂に沿って伸びるように、下帯部材２の幅方向中央部に存在し、全体において線状になっている。このように、臀部第１弾性部材２１を全体において線状とすることで着用者の排尿部付近に下帯部材をより近づけることができ、吸収体に尿が素早く吸収されるため、排尿した時の漏れを防止することができる。ここで幅方向中央の範囲とは特に限定されず、正中面切断線Ｐ１から幅方向（Ｘ方向）に臀部第１弾性部材の作用が範囲として機能的に定められればよい。
【００２６】
図６は、本発明の別の好ましい実施形態の使い捨ておむつ２０を示す展開平面図である。この臀部第１弾性部材２１は、着用者の正中面切断線Ｐ１の位置を挟んで、幅方向の両サイド部に２本ずつ離間して一対の平行線状となっている。このように、臀部第１弾性部材２１を離間して一対の平行線状とすることで着用者の股間部付近に下帯部材をより近づけることができ、股間部の隙間が小さくなるために、排尿した時の股間部からの漏れを防止することができる。
【００２７】
図７は、図１のおむつを装着した状態における各弾性部材の伸縮性をモデル化して説明するための着用者背側から見た概略斜視図である。
図７に示されるように、臀部第１弾性部材（臀裂フィット性弾性部材）２１の収縮により、臀裂線Ｐ１方向で上方に向かう張力ｆ１が働き引っ張ることで、おむつ１０と着用者６の股間部との隙間が少なくなる。これにより、臀部第１弾性部材がなかった従来のものに対して、この部分の隙間からの排泄物の液漏れを防止する性能と適切にフィットすることによる着用時の安心感が格段に向上する。しかも本実施形態のおむつにおいては、図示されるように、臀部第２弾性部材（臀溝フィット性弾性部材）４１が臀溝の部分から左右に延び、おしりの両わきの上の方まで包み込みながら支えるように配設されたため、とくにおしりのやや下の方で左右に膨らみある部分を軽く持ち上げるようにして、おむつの背側部位がしっかりと余計な隙間をあけずにフィットする。そして、さらに、この臀部第２弾性部材４１が臀溝線Ｐ２に沿って左右に延び、幅方向外側向け張力ｆ２ａおよびｆ２ｂが働き両側に開くように引っ張ることで、着用者が歩いたり寝返りを打ったときに、臀裂に臀部第１弾性部材２１入り込みすぎて履き心地が悪くなってしまうことを効果的に防ぐことができる。すなわち、臀部第１弾性部材２１の張力ｆ１と臀部第２弾性部材４１の張力ｆ２ａ、ｆ２ｂとが相互に作用して、おむつの下方全体の形状が着用者の臀部の凹凸形状と好適にフィットするようになり、しかもおしりの割れ目部分に弾性部材が食い込むことはなく、モレ防止性能と長時間着用するときの履き心地の良さとを両立できる。
【００２８】
本実施形態では、上述のように環状外装帯３の背側部位３２は、着用者の臀部を覆う股下にかけて十分幅広にされ、その背側部位３２の両側方には着用者の背後から見て側面方向に上開き、つまり逆「八」の字状になるように配置された左右一対の臀部第２弾性部材４１ａ、４１ｂを有する。また、図７において、上述のように臀部第１弾性部材２１の収縮によって働く力の方向を矢印ｆ１で示し、臀部第２弾性部材４１ａ、４１ｂの収縮によって働く力の方向を矢印ｆ２ａ、ｆ２ｂでそれぞれ示してある。力ｆ１は臀裂線Ｐ１に沿った方向に作用し、ｆ２ａおよびｆ２ｂは臀溝線Ｐ２に沿った方向に作用する。ｆ２ａとｆ２ｂは、臀部第２弾性部材４１を設置するときの伸長率を等しくすることで等しくなる。力ｆ１、ｆ２ａ、およびｆ２ｂは、吸収体ギャザー及びヒップギャザーを以下に示す伸長率に設定することで、バランスよく組み合わされ、上述した程よい装着感を生み出すフィット性を発揮することができる。
【００２９】
また、臀部第１弾性部材２１により形成される吸収体ギャザーの伸長率（Ｅｂ）は、２０〜２００％であることが好ましく、３０〜１００％がさらに好ましい。吸収体ギャザーの伸長率を上げる方法としては、弾性部材の繊度、弾性部材の本数、弾性部材の伸長率の向上などの手段を用いることができる。また、臀部第２弾性部材４１により形成されるヒップギャザーの伸長率は３０〜３００％であることが好ましく、５０〜１００％がさらに好ましい。ここでいう、吸収体ギャザー、及びヒップギャザーの伸長率（Ｅｂ）とは、各伸縮部における自然に収縮した状態のある長さを（Ａ）とし、ギャザーを伸び止まりするまで引き伸ばした時の長さを（Ｂ）としたとき、（（Ｂ）−（Ａ））／（Ａ）で算出される百分率（％）と定義する。
【００３０】
上記各実施形態のおむつは、使用開始時にパンツ型の形態のまま着脱することができるため、自立意識の高い起立状態で着脱できる着用者に対して、自分でパンツを穿くというニーズに応えることができる。そのため、介助が必要でありながら自立する訓練も必要となる高齢者や身体障害者のリハビリ用として適している。そして、２回目以降の着脱においては必要により、破断誘導線３４を破断し取り出したファスナーテープで再接合することにより、展開型おむつと同様にして装着し、使用することもできるため、横になったままでも交換が簡単にでき、介助者が軽便におむつ交換をすることができる。
【００３１】
本発明の使い捨ておむつの各構成材料としては、通常用いられている各種の材料を特に制限なく用いることができる。例えば、肌に接触する部位に使用するシート材は、肌触りの良い材料、不織布や布等であることが好ましい。吸収性コアとしては、例えば、解繊パルプや捲縮アセテート繊維等の繊維からなる繊維集合体や、繊維集合体に吸水性ポリマーを保持させてなるものが好ましい。上記の各弾性部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。機械的ファスナーのオス部材及びメス部材としては、公知の機械的ファスナー、例えば「マジックテープ（登録商標）」（クラレ社製）、「クイックロン（登録商標）」（ＹＫＫ社製）、「マジクロス（登録商標）」（カネボウベルタッチ社製）等におけるオス部材及びメス部材を用いることができる。機械的面ファスナーのメス部材としては、これに直接係合可能な材料、例えば係合性に富む不織布を用いることもできる。
【００３２】
本発明の使い捨ておむつは、上述した実施形態に制限されず、本発明の趣旨を逸脱しない範囲で種々変更が可能である。
例えば、機械的面ファスナーに代えて、粘着剤を塗工して形成した粘着部を設けることもできる。また、破断誘導線としては、切り取り線としての効果があれば特に制限なく用いることができる。例えば、熱シール、超音波シールなどにより誘導線に沿って破断強度の強弱が形成されるのであれば孔の有無は問わない。また、破綻誘導線３４の近傍に配される部分に着色領域を設け、破断誘導線３４の破断作業の際の破断誘導線３４の視認を容易しにすることもできる。
本発明の使い捨ておむつは、成人用に適しているが、幼児用であっても良い。
【実施例】
【００３３】
以下、本発明を実施例にさらに詳細に説明するが、本発明はこれに限定されるものではない。
【００３４】
［実施例１］
図１〜３に示す形態の使い捨ておむつ（複数本からなる臀部第１弾性部材の、吸収性コア幅方向における両外側に位置するものと、臀部第２弾性部材の同方向内側端が重ならないようになっている）を製造した。おむつ幅方向の中央部に配設された臀部第１弾性部材２１により形成された吸収体ギャザーの伸長率は５０％であり、また、臀部第２弾性部材４１により形成されたヒップギャザーの伸長率は７０％であった。
【００３５】
［実施例２］
臀部第１弾性部材２１を図６に示すようにサイド部に配設した以外は、実施例１と同様にして使い捨ておむつを製造した。
【００３６】
［実施例３］
臀部第２弾性部材を設けなかった以外は、実施例１と同様にして、使い捨ておむつを製造した。
【００３７】
［比較例１］
臀部第１弾性部材を設けなかった以外は、実施例１と同様にして、使い捨ておむつを製造した。
【００３８】
［股間部フィット状態評価］
図８の模式的な正面図による説明図で示すように、モデル人形６１に、実施例１〜３および比較例１のおむつであって、パンツ形状の使い捨ておむつ６２をはかせ、股間窪部から、垂直方向のおむつ外装帯表面までの距離Ｌを測定した。各測定に退いて、おむつ６２の上端６３は、人形の同一の位置となるようにした。結果を表１に示す。
【００３９】
［装着感評価］
被験者に、実施例１〜３および比較例１のおむつをパンツ形状で装着してもらい、その履き心地を評価した。臀裂部、または股間部に吸収体ギャザーによる食い込みが無いか、あっても極めて小さく、装着感が良かったものを「○」、臀裂部または、股間部に吸収体ギャザーによる食い込みが少し有り、やや装着感が悪かったものを「△」、臀裂部または、股間部に吸収体ギャザーによる食い込みが有り、装着感が悪かったものを「×」により評価した。
【００４０】
［液漏れ防止性評価］
排尿ポイント６５を設けたモデル人形６６に、パンツ形状の実施例１〜３および比較例１の使い捨ておむつ６７をはかせ、モデル人形６６を傾斜角度３０度に傾けた。図９は、このときの状態をまた下側から見た説明図である。モデル人形６６に設けられた排泄ポイント６５から、生理食塩水を、排泄量５０ｇ/回、排泄速度５ｇ／ｓで排泄させた。この排出を５分間隔で、繰り返した後、漏れるまでの総排泄量から漏れた量を差し引くことにより、液吸収量を測定した。なお、試験は２５℃で行った。
結果を表２に示す。なお、液吸収量の単位はｇである。
【００４１】
【表１】
2010131197.tif 000003
【００４２】
【表２】
2010131197.tif 000004
【００４３】
表１および２から示されるように、比較例１のおむつでは、おむつとモデル股間との距離（Ｌ）が５２ｍｍと長く、液漏れ防止性評価試験において、吸収量が３００ｇと少なく、図９において矢印６８方向に液の横モレが生じ、液漏れ防止性が十分ではなかった。
これに対して、臀部第１弾性部材を設けた実施例１〜３のおむつでは、おむつとモデル股間との距離（Ｌ）が１１〜１２ｍｍと小さいため吸収量も比較例にくらべ大幅に向上し、十分に液モレを防止することができた。さらに、臀部第２弾性部材が設けられた実施例１〜２では、臀部割れ目や股間部に弾性部材がくい込むことがなく、履き心地に優れ、優れた漏れ防止性と装着感を両立することができた。
【図面の簡単な説明】
【００４４】
【図１】本発明の一実施形態としての使い捨ておむつを示す、腹側から見た斜視図である。
【図２】図１のおむつを、破断誘導線を破断して展開した状態を肌当接面側からみた状態を示す展開平面図である。
【図３】図２のＡ−Ａ線模式断面図である。
【図４】図１のおむつを、片側の破断誘導線を破断した状態を示す斜視図である。
【図５】腹側部位の上端縁を含む位置のミシン目からなる破断誘導線の拡大平面図である。
【図６】本発明の別の実施形態としての使い捨ておむつを、破断誘導線を破断して展開した状態を肌当接面側からみた状態を示す展開平面図である。
【図７】図１のおむつを装着した状態における各弾性部材の伸縮性をモデル化して説明するための着用者背側から見た概略斜視図である。
【図８】実施例の股間部フィット状態評価試験の説明図である。
【図９】実施例の液漏れ防止性評価試験の説明図である。
【符号の説明】
【００４５】
１０、２０  使い捨ておむつ
２  下帯部材
３  環状外装帯
５  ファスニングテープ
２１  臀部第１弾性部材
２２  表面シート
２３  裏面シート
２４  吸収性コア
３１  腹側部位
３２  背側部位
３３  サイドシール部
３４  破断誘導線
４１  臀部第２弾性部材
４２，４３  ウエスト弾性部材
４４  レッグ弾性部材
６１  モデル人形
６２  使い捨ておむつ
６５  排尿ポイント
６６  モデル人形
６７  使い捨ておむつ
【図１】
2010131197.tif 000005
【図２】
2010131197.tif 000006
【図３】
2010131197.tif 000007
【図４】
2010131197.tif 000008
【図５】
2010131197.tif 000009
【図６】
2010131197.tif 000010
【図７】
2010131197.tif 000011
【図８】
2010131197.tif 000012
【図９】
2010131197.tif 000013